(57)【要約】【課題】顧客のオーダが複数の画像にまたがっていた場合でも、効率よく同一の記録媒体に画像データを記録することができる画像記録装置及び画像記録方法並びにプログラムを提供すること。【解決手段】画像入力手段１から読み取った複数の画像データに画像処理を行なう画像処理手段３と該画像処理手段３において処理された画像データを記憶媒体に記録する記録手段５とを有する画像記録装置において、前記読み取った複数の画像データをグループに取りまとめるグループ化手段２と、前記グループ内の全画像データの画像処理を完了したかを判断する処理完了判断手段４とを有し、前記記録手段は前記処理完了判断手段４により完了と判断されたときに記録媒体への記録を開始する制御を行うことを特徴とする画像記録装置。【選択図】          図３
2004357072.tif 000002
【特許請求の範囲】
【請求項１】
画像入力手段から読み取った複数の画像データに画像処理を行なう画像処理手段と該画像処理手段において処理された画像データを記憶媒体に記録する記録手段とを有する画像記録装置において、
前記読み取った複数の画像データをグループに取りまとめるグループ化手段と、前記グループ内の全画像データの画像処理を完了したかを判断する処理完了判断手段とを有し、前記記録手段は前記処理完了判断手段により完了と判断されたときに記録媒体への記録を開始する制御を行うことを特徴とする画像記録装置。
【請求項２】
前記画像処理手段における画像処理は、色変換処理、解像度変換処理、画像の切り出し処理、画像合成処理のいずれか１つの処理を含むことを特徴とする請求項１記載の画像記録装置。
【請求項３】
前記記録手段における画像データの記録条件を設定する記録条件設定手段を有し、該記録条件設定手段における設定に基づいて前記画像処理手段における画像処理の内容が決定されることを特徴とする請求項１又は２記載の画像記録装置。
【請求項４】
グループ化処理開始受付手段を有し、該グループ化処理開始受付手段でグループ化処理を開始する旨の入力を受け付けた場合に、前記グループ化手段は、複数の画像データをグループに取りまとめる処理を開始することを特徴とする請求項１、２又は３記載の画像記録装置。
【請求項５】
前記画像入力手段でフィルム１本分の画像データ、メディア１個分の画像データ、１フォルダ分の画像データ、指定された画像データ又は所定個数の画像データが入力された旨の何れかを検知するグループ化開始検知手段を有し、該グループ化開始検知手段で前記何れかの検知がされた場合に、前記グループ化手段は、複数の画像データをグループに取りまとめる処理を開始することを特徴とする請求項１、２又は３記載の画像記録装置。
【請求項６】
画像入力工程において読み取った複数の画像データに画像処理を行なう画像処理工程と該画像処理工程において処理された画像データを記憶媒体に記録する記録工程を有する画像記録方法において、
前記読み取った複数の画像データをグループに取りまとめるグループ化工程と、前記グループ内の全画像データの画像処理を完了したかを判断する処理完了判断工程とを有し、前記記録工程は前記処理完了判断工程おいて完了と判断されたときに記録媒体への記録を開始する制御を行うことを特徴とする画像記録方法。
【請求項７】
前記画像処理工程における画像処理は、色変換処理、解像度変換処理、画像の切り出し処理、画像合成処理のいずれか１つの処理を含むことを特徴とする請求項６記載の画像記録方法。
【請求項８】
前記記録工程における画像データの記録条件を設定する記録条件設定工程を有し、該記録条件設定工程における設定に基づいて前記画像処理工程における画像処理の内容が決定されることを特徴とする請求項６又は７記載の画像記録方法。
【請求項９】
画像入力工程は、画像データを読み取った後の所定時間次に読み取る画像データが無いと判断した場合に読み取りが終わった旨を前記グループ化工程に送り、前記グループ化工程は、読み取りが終わった旨を受けたときに複数の画像データをグループに取りまとめる処理を開始することを特徴とする請求項６、７又は８記載の画像記録方法。
【請求項１０】
前記画像入力工程でフィルム１本分の画像データ、メディア１個分の画像データ、１フォルダ分の画像データ、指定された画像データ又は所定個数の画像データが入力された旨の何れかを検知するグループ化開始検知工程を有し、該グループ化開始検知工程で前記何れかの検知がされた場合に、前記グループ化工程は、複数の画像データをグループに取りまとめる処理を開始することを特徴とする請求項６、７又は８記載の画像記録方法。
【請求項１１】
ユーザの１度の入力処理に基づいて前記各工程の処理が行われることを特徴とする請求項６〜１０の何れかに記載の画像記録方法。
【請求項１２】
請求項６乃至請求項１１の何れか１項に記載の画像記録方法をコンピュータに実現させることを特徴するプログラム。
【発明の詳細な説明】
【０００１】
【発明の属する技術分野】
本発明は、画像記録装置及び画像記録方法並びにプログラムに関し、画像データをＣＤ−Ｒ等の記録媒体に記録可能な画像記録装置及び画像記録方法並びにプログラムに関する。
【０００２】
【従来の技術】
近年、通常の光学式カメラで撮影されたフィルムを現像してプリントを得る場合、該フィルムの画像を感光材料に投影しプリントを得る方法から、デジタル画像処理によりプリントを得る方法に移行しつつある。
【０００３】
デジタル画像処理は、フィルムの画像をスキャナ等の画像読み取り装置で読み取って該画像をデジタル化し、デジタル化した画像の画像データを画像処理し、処理された画像データにもとづいて、感光材料に露光し、現像してプリントを得る方法である。
【０００４】
このようなデジタル画像処理は、得られた画像データをプリントすることもできるし、ＣＤ−Ｒ等の記録媒体に記録しておいて後から利用することもできるという利点を有し、急速に普及しつつある。
【０００５】
特許文献１では、プリントと記録媒体へのデータ書き込みを同時に行うことができるラボシステムが提案されている。
【０００６】
しかし、上記の技術ではすべての画像をプリントし、記録媒体への書き込みを行ってしまうので、プリント時に思い通りの仕上がりが得られない画像までも記録媒体に保存することになり、効率の悪い保存を行うこととなっていた。
【０００７】
そこで、所望のコマの画像のみをプリントし、記録媒体への書き込みを行う技術が提案されている（特許文献２）。
【０００８】
上記の技術はいずれも、フィルムからスキャナで読み取った画像データや、コンパクトフラッシュ（登録商標）等のメディアに記録された画像データをＣＤ−Ｒ等の記録媒体に書き込むには、オペレーターが書き込み開始時に、読み取り画像サイズなどの諸設定、および書き込み開始の操作を画像毎に行わなければならなく、操作が複雑で間違いを招きやすいという問題があった。
【０００９】
顧客のオーダが複数の画像にまたがっていた場合、効率よく同一の記録媒体に画像データを記録する手段が無かった。
【００１０】
【特許文献１】特開平８−１５７８４号公報
【特許文献２】特開平１０−１５０５３８号公報
【００１１】
【発明が解決しようとする課題】
そこで、本発明の課題は、顧客のオーダが複数の画像にまたがっていた場合でも、効率よく同一の記録媒体に画像データを記録することができる画像記録装置及び画像記録方法並びにプログラムを提供することにある。
【００１２】
本発明の他の課題は、本明細書の以下の記載によって明らかになる。
【００１３】
【課題を解決するための手段】
上記課題は、以下の各発明によって解決される。
【００１４】
（請求項１）画像入力手段から読み取った複数の画像データに画像処理を行なう画像処理手段と該画像処理手段において処理された画像データを記憶媒体に記録する記録手段とを有する画像記録装置において、前記読み取った複数の画像データをグループに取りまとめるグループ化手段と、前記グループ内の全画像データの画像処理を完了したかを判断する処理完了判断手段とを有し、前記記録手段は前記処理完了判断手段により完了と判断されたときに記録媒体への記録を開始する制御を行うことを特徴とする画像記録装置。
【００１５】
（請求項２）前記画像処理手段における画像処理は、色変換処理、解像度変換処理、画像の切り出し処理、画像合成処理のいずれか１つの処理を含むことを特徴とする請求項１記載の画像記録装置。
【００１６】
（請求項３）前記記録手段における画像データの記録条件を設定する記録条件設定手段を有し、該記録条件設定手段における設定に基づいて前記画像処理手段における画像処理の内容が決定されることを特徴とする請求項１又は２記載の画像記録装置。
【００１７】
（請求項４）グループ化処理開始受付手段を有し、該グループ化処理開始受付手段でグループ化処理を開始する旨の入力を受け付けた場合に、前記グループ化手段は、複数の画像データをグループに取りまとめる処理を開始することを特徴とする請求項１、２又は３記載の画像記録装置。
【００１８】
（請求項５）前記画像入力手段でフィルム１本分の画像データ、メディア１個分の画像データ、１フォルダ分の画像データ、指定された画像データ又は所定個数の画像データが入力された旨の何れかを検知するグループ化開始検知手段を有し、該グループ化開始検知手段で前記何れかの検知がされた場合に、前記グループ化手段は、複数の画像データをグループに取りまとめる処理を開始することを特徴とする請求項１、２又は３記載の画像記録装置。
【００１９】
（請求項６）画像入力工程において読み取った複数の画像データに画像処理を行なう画像処理工程と該画像処理工程において処理された画像データを記憶媒体に記録する記録工程を有する画像記録方法において、前記読み取った複数の画像データをグループに取りまとめるグループ化工程と、前記グループ内の全画像データの画像処理を完了したかを判断する処理完了判断工程とを有し、前記記録工程は前記処理完了判断工程おいて完了と判断されたときに記録媒体への記録を開始する制御を行うことを特徴とする画像記録方法。
【００２０】
（請求項７）前記画像処理工程における画像処理は、色変換処理、解像度変換処理、画像の切り出し処理、画像合成処理のいずれか１つの処理を含むことを特徴とする請求項６記載の画像記録方法。
【００２１】
（請求項８）前記記録工程における画像データの記録条件を設定する記録条件設定工程を有し、該記録条件設定工程における設定に基づいて前記画像処理工程における画像処理の内容が決定されることを特徴とする請求項６又は７記載の画像記録方法。
【００２２】
（請求項９）画像入力工程は、画像データを読み取った後の所定時間次に読み取る画像データが無いと判断した場合に読み取りが終わった旨を前記グループ化工程に送り、前記グループ化工程は、読み取りが終わった旨を受けたときに複数の画像データをグループに取りまとめる処理を開始することを特徴とする請求項６、７又は８記載の画像記録方法。
【００２３】
（請求項１０）前記画像入力工程でフィルム１本分の画像データ、メディア１個分の画像データ、１フォルダ分の画像データ、指定された画像データ又は所定個数の画像データが入力された旨の何れかを検知するグループ化開始検知工程を有し、該グループ化開始検知工程で前記何れかの検知がされた場合に、前記グループ化工程は、複数の画像データをグループに取りまとめる処理を開始することを特徴とする請求項６、７又は８記載の画像記録方法。
【００２４】
（請求項１１）ユーザの１度の入力処理に基づいて前記各工程の処理が行われることを特徴とする請求項６〜１０の何れかに記載の画像記録方法。
【００２５】
（請求項１２）請求項６乃至請求項１１の何れか１項に記載の画像記録方法をコンピュータに実現させることを特徴するプログラム。
【００２６】
【発明の実施の形態】
以下、本発明の実施の形態を図面に基づいて説明する。
【００２７】
図１は、本発明の一実施例に係る画像記録装置及びプリント作成装置の構造を示す外観図であり、図２は、その構成を示すブロック図である。
【００２８】
図１及び図２に示すように、本実施例の画像記録システム１１は、様々な画像入力手段を用いて取り込んだ画像データをＣＤ−Ｒ等の画像記録媒体に記録する画像記録装置１２と、写真フィルムを現像し、画像データを印画紙に焼き付けて写真プリントを作成するプリント作成装置１３とから構成され、これらが相互に接続され、画像記録装置１２からプリント作成装置１３の制御が可能となっている。
【００２９】
画像記録装置１２は、現像済みの写真フィルム２６から画像情報を読み取るフィルムスキャナ部１４、写真プリント２７などの原稿から画像情報を読み取る反射原稿入力装置１５、デジタルカメラ２９やカメラ付き携帯電話機などの写真撮影機能を備えた撮影機器から画像データを読み取り、また、スマートメディア、コンパクトフラッシュ（登録商標）、メモリースティック（登録商標）、ＳＤメモリーカード、マルチメディアカード等の撮影機器用の画像記録媒体（以下、入力用画像記録媒体２８と呼ぶ。）から画像データを読み取る画像読取部１６等の画像入力手段と、読み取った画像データを表示したり、後述する各種画面を表示するＣＲＴ、液晶等の表示部１８と、キーボード、タッチパネル、マウス等の操作部１９と、読み取った画像データに画像処理を施したり、画像記録装置１２の動作を制御する制御部１７と、読み取った画像データを所定の画像記録条件でＣＤ−Ｒ、ＤＶＤ−Ｒ、ＭＯ等の画像記録媒体（以下、出力用画像記録媒体３０と呼ぶ。）に記録する画像書込部２０等の記録手段と、複数の画像記録条件や取り込んだ画像データを記憶する記憶部２１とを備えている。なお、図示しないが、画像入力手段として、インターネット（無線／有線を問わない）や赤外線等を用いた通信ネットワークを介して、他のコンピュータ端末やサーバから画像データを取り込む機能を備えていてもよい。
【００３０】
また、プリント作成装置１３は、マガジン装填部３５を備え、画像情報を感光材料に露光する露光処理部３３と、露光された感光材料を現像処理して乾燥し、写真プリント４１やインデックスプリント４２を作成するプリント作成部３４と、これらの動作を制御する制御部３２と、図示しない表示部や操作部等を備え、プリント作成装置１３単独で露光、現像、プリント作成処理が可能であると共に、画像記録装置１２からの遠隔操作が可能となっている。
【００３１】
なお、本実施例では、画像記録装置１２とプリント作成装置１３とが別体として構成される画像記録システム１１を例にして説明するが、画像記録装置１２とプリント作成装置１３とが一体となって構成された装置（このような装置も画像記録装置と呼ぶ。）を用いることもできる。また、画像記録装置１２の画像入力手段としては、少なくとも、フィルムスキャナ部１４と画像読取部１６とを備えていることが好ましい。
【００３２】
図３は本発明の画像記録方法を実施する画像記録装置の一例を示す機能ブロック図である。
【００３３】
図３において、１は画像入力手段であり、２はグループ化手段であり、３は画像処理手段であり、４は処理完了判断手段であり、５は記録手段である。また、６は記録条件設定手段であり、７はグループ化処理開始受付手段であり、８はグループ化開始検知手段であり、好ましく設けられる。
【００３４】
画像入力手段１は、デジタル化された画像データを入力する装置である。例えば、現像済みの写真フィルムから画像情報を読み取り画像データを入力するフィルムスキャナ装置や、写真プリントなどの原稿から画像情報を読み取り画像データを入力する反射原稿入力装置や、デジタルカメラやカメラ付き携帯電話機などの写真撮影機能を備えた撮影機器から画像データを読み取り入力する装置、また、スマートメディア、コンパクトフラッシュ（登録商標）、メモリースティック（登録商標）、ＳＤメモリーカード、マルチメディアカード等の撮影機器用の画像記録媒体（以下、入力用画像記録媒体１８と呼ぶ。）から画像データを読み取る装置が挙げられる。
【００３５】
本発明の画像記録装置は、画像入力手段１で画像データを読み込み、読み込んだ複数の画像データをグループ化手段２においてグループに取りまとめ、画像処理手段３で画像処理を行い、グループ内の全画像データの画像処理が完了したかを処理完了判断手段４で判断されたときに記録手段５で記録媒体への記録を開始する制御を行うことを特徴としている。
【００３６】
画像入力手段１は、画像をデジタルデータである画像データとして読み込みを行うことができる装置であり、例えば、スキャナ、リムーバブルディスクのドライブ等を用いることができる。具体的には、スキャナを用いて読み取りを行う場合は、各コマ（フィルムの各画像コマ）に対してプレスキャンとファインスキャンの２回行うことができる。プレスキャンは最適な読取条件を設定するため、またモニタヘのプレビューなどのために行われ、出力用にはファインスキャンにより得られた画像データが使用される。読み取られた画像データはハードディスクに記録される。
【００３７】
グループ化手段２は、前記読み取った複数の画像データをグループに取りまとめる。グループに取りまとめるのは、例えば、グループ毎に決めた識別子を画像データの属性情報として付加する方法や、グループ毎にフォルダを作成し、フォルダ名にはＩＤを付加するようにする方法、同一のグループに属するファイルはグループＩＤを含むファイル名にするようにする方法、グループ毎に１つのインデックス情報ファイルを作成し、グループに属するファイルの一覧を管理する方法による。
【００３８】
画像処理手段３は、画像データに画像処理を行う。画像処理手段３において行われる画像処理は、色変換処理、解像度変換処理、画像の切り出し処理、画像合成処理のいずれか１つの処理を含むことが好ましい。
【００３９】
色変換処理とは、ＬＵＴ等により、画像における各画素の信号値を変換する処理である。例えば、画像の色味、及びコントラストを全画面もしくは部分的に変化させる処理である。
【００４０】
解像度変換処理とは、画像を拡大又は縮小する処理である。
【００４１】
画像の切り出し処理とは、画像領域の一部分を別の画像として抽出する処理である。
【００４２】
画像合成処理とは、少なくとも２つの画像を合成する処理である。
【００４３】
処理完了判断手段４は、前記グループ化手段２でグループ化されたグループ内の全画像データが画像処理手段３で画像処理が完了したかを判断する。
【００４４】
図４及び図５は、処理完了判断手段４で画像処理が完了したかを判断する処理を示すフロー図である。
【００４５】
図４に示す態様は、全画像データの画像処理が終了した通知をうけることにより、画像処理が完了したと判断する態様であり、図５に示す態様は、記録手段５がグループ内の最終画像の画像処理が終了したかを逐次チェックして該チェック結果により画像処理が完了したかを判断する態様である。
【００４６】
図４において、画像入力手段１（画像入力部ともいう）においてグループ内の第１番目の画像データの入力が完了すると、画像入力部から画像処理手段３（画像処理部ともいう）へグループ内の第１番目の画像データの入力が完了した通知がなされ、画像処理部は第１番目の画像データの画像処理を実行する。
【００４７】
同様に、グループ内の第２番目の画像データの入力が完了すると、２番目の画像データの入力完了の通知がなされ、画像データの画像処理が実行される。
【００４８】
この処理がグループ内の画像データ全てに対して行われると、画像処理部から記録手段５（画像記録部ともいう）へ、グループ内の画像データの画像処理が完了した通知がなされ、画像記録部はグループ内の画像処理済みの画像データを記録媒体に記録する処理を行う。
【００４９】
また、処理完了判断手段４の別の態様として、図５に示す態様を説明する。本態様は、図４に示す態様の処理における画像処理部から画像記録部に対しグループ内の画像データの画像処理が完了した通知を行う処理に代えて、画像処理部でグループ内の最終の画像データに対する画像処理が終了したかを画像記録部から画像処理部に対し、チェックをする処理を行う。かかるチェックの結果、最終の画像データに対する画像処理が終了したと判断されると、画像記録手段においてグループ内の画像処理済みの画像データを記録媒体に記録する処理を行う。
【００５０】
また、図３において記録手段５は、画像処理手段３において画像処理された画像データを記憶媒体に記録する。かかる記録手段５による記録は、前記処理完了判断手段４により完了と判断されたときに記録媒体への記録を開始するように制御される。
【００５１】
記録条件設定手段６は、前記記録手段５における画像データの記録条件を設定する。かかる設定は、ユーザによる入力を受け付けて行われる。図６は、画像入力時に表示される記録条件設定画面５１を示す図である。記録条件設定手段６は、例えば図６に示すような画面を表示して、該画面表示に基づく入力をユーザに行なわせることによって、記録条件の設定を受け付ける。図６における記録条件設定画面５１では、複数の画像記録条件（ここではサービス１〜１０の１０種類）が設定可能となっており、各々の設定画面には、サービスの名称を登録する呼称欄と、オーダー番号の付番方法を選択するオーダーＮｏ．欄と、スキャン解像度（例えば、等倍、４Ｂａｓｅ等）を選択する解像度欄と、記録される画像データを実際にプリントされる画像と同じ領域に設定するＢＬボーダーカット欄と、ＣＤ−Ｒに保存する際のフォルダ構成を選択する保存形式欄と、画像データの変換フォーマット（例えば、ＪＰＥＧ、ＴＩＦＦ、ＢＭＰ、Ｂ４８、Ｔ４８等）を選択する画像フォーマット欄と、画像フォーマット欄でＪＰＥＧを選択した場合の圧縮率を選択するＪＰＥＧ圧縮率欄と、スキャン形式を選択するスキャン形式欄と、ＣＤ−Ｒの書き込み方式（例えば、ＩＳＯ９６６０、Ｊｏｌｉｅｔ等のファイルシステム）を選択するファイルシステム欄と、入力種がデジタルカメラ２９の入力用画像記録媒体２８である場合に、６コマでの回転、色補正、画像フォーマット変換等の画像加工を行うかを設定するデジカメ・メディア加工欄と、記録媒体に画像データと共にアプリケーションソフトを書き込む場合にソフトの選択やコピー先のフォルダ名を設定するハンドルソフト欄と、フォルダ構成に使用するファイルの名前を生成する際の形式を選択するファイル形式欄と、ＣＤ−Ｒ用のインデックスプリントを作成する場合のペーパー幅やインデックスプリントの枚数を指定するインデックスサイズ、インデックスプリント欄と、一度に書き込むＣＤ−Ｒの枚数を設定するＣＤＲ書込み数欄と、プレビュー表示を行うかを設定するプレビュー表示欄等が表示される。
【００５２】
なお、記録条件設定画面５１も図の構成に限定されず、複数の記録条件（サービス）が設定可能であり、かつ、各々の設定画面に入力メディアを指定する欄、解像度欄とデジカメ・メディア加工欄とインデックスサイズ、プレビュー表示欄の少なくとも一つを含んでいればよい。
【００５３】
該記録条件設定手段６において画像データの記録条件が設定されると、該設定に基づいて前記画像処理手段３における画像処理の内容が決定される。
【００５４】
図７に示すようなテーブルを設けて、記録条件設定手段６での設定内容に基づいて画像処理の内容を決定することが好ましい。設定される記録条件は図７に示すテーブルにより画像処理の内容と関連づけられている。図７に示すテーブルでは、入力メディアＡを指定すると色変換処理Ａを行い、入力メディアＢを指定すると色変換処理Ｂを行う…というように、記録条件設定手段６で設定された記録条件に基づいて画像処理の内容が決まってくる。尚、図７において例えば、入力メディアＡがフィルムを示し、入力メディアＢがデジタルスチルカメラを示し、入力メディアＣがフラッドヘッドスキャナを示しており、色変換処理Ａと色変換処理Ｂとは、異なるパラメータによる色変換を行うことを示している。かかるテーブルに基づいて、設定された記録条件に対応する画像処理を前記画像処理手段３で行うことができる。
【００５５】
グループ化処理開始受付手段７は、グループ化処理を開始する旨の入力を受け付ける。該グループ化処理開始受付手段７でグループ化処理を開始する旨の入力を受け付けた場合に、前記グループ化手段２は、複数の画像データをグループに取りまとめる処理を開始する。グループ化処理を開始する旨の受け付けは、例えば、図８に示すように表示して「何個の画像データを１グループとする」とか、「フィルム１本分の画像データを１グループとする」とか、「全容量で７００ＭＢまでの画像データを１グループとする」とか、「開始の入力を受け付けた後に入力された画像データから、終了の入力を受け付ける前までに入力された画像データを１グループとする」とかのいずれかの入力を受け付ける態様が挙げられる。
【００５６】
グループ化開始検知手段８は、前記画像入力手段１でフィルム１本分の画像データ、メディア１個分の画像データ、１フォルダ分の画像データ、指定された画像データ又は所定個数の画像データが入力された旨の何れかを検知する。グループ化開始検知手段８で前記何れかの検知がされた場合に、前記グループ化手段２は、複数の画像データをグループに取りまとめる処理を開始する。
【００５７】
次いで、本発明の画像記録装置による処理流れについて図９を参照しながら説明する。
【００５８】
画像入力手段１で画像データが入力される（Ｓ１）。入力された画像データは、グループ化手段２でグループ化される（Ｓ２）。
【００５９】
グループ化された画像データは画像処理手段３で、必要な画像処理がなされる（Ｓ３）。
【００６０】
画像処理手段３でグループ内の最後の画像の画像処理又はグループ内の全画像データの画像処理が完了したと判断され（Ｓ４）、完了してないと判断されると、Ｓ３の処理に戻る。
【００６１】
Ｓ４で完了したと判断されると、記録手段５によりグループ内の全画像データが記録媒体へ記録される（Ｓ５）。
【００６２】
また、Ｓ２のグループ化の処理は、グループ化開始受付手段７でグループ化処理を開始する旨の入力を受け付けたり、グループ化開始検知手段８で所定の検知がされると、かかる入力や検知に基づいて処理を開始することが好ましい。
【００６３】
Ｓ３の画像処理は、記録条件設定手段６で受け付けた設定内容に基づいて画像処理の内容を決定することが好ましい。
【００６４】
また、本発明のプログラムは、画像処理装置にインストールされることにより上記の画像処理方法を実施することができるようにプログラムされている。
【００６５】
また、本発明のプログラムはＦＤ（フレキシブルディスク）、ＣＤ−ＲＯＭ、ＭＯ（光磁気ディスク）等の公知の記録媒体に記録して取引することができる。
【図面の簡単な説明】
【図１】本発明の一実施例に係る画像記録装置及びプリント作成装置の構造を示す外観図
【図２】本発明の一実施例に係る画像記録装置及びプリント作成装置の構成を示すブロック図
【図３】本発明の画像記録方法を実施する画像記録装置の一例を示す機能ブロック図
【図４】画像処理が完了したかを判断する処理の一例を示すフロー図
【図５】画像処理が完了したかを判断する処理の他の一例を示すフロー図
【図６】画像入力時に表示される記録条件設定画面の一例を示す図
【図７】記録条件と画像処理内容とを関連づけたテーブルの一例を示す図
【図８】グループ化処理を開始する旨の受け付けのための表示画面例
【図９】本発明の画像記録装置による処理流れを示すフロー図
【符号の説明】
１：画像入力手段
２：グループ化手段
３：画像処理手段
４：処理完了判断手段
５：記録手段
６：記録条件設定手段
７：グループ化処理開始受付手段
８：グループ化開始検知手段
１１：画像記録システム
１２：画像記録装置
１３：プリント作成装置
１４：フィルムスキャナ部
１５：反射原稿入力装置
１６：画像読取部
１７：制御部
１８：表示部
１９：操作部
２０：画像書込部
２１：記憶部
２６：写真フィルム
２７：写真プリント
２８：入力用画像記録媒体
２９：デジタルカメラ
３０：出力用画像記録媒体
３２：制御部
３３：露光処理部
３４：プリント作成部
３５：マガジン装填部
４１：写真プリント
４２：インデックスプリント
５１：記録条件設定画面
【図１】
2004357072.tif 000003
【図２】
2004357072.tif 000004
【図３】
2004357072.tif 000005
【図４】
2004357072.tif 000006
【図５】
2004357072.tif 000007
【図６】
2004357072.tif 000008
【図７】
2004357072.tif 000009
【図８】
2004357072.tif 000010
【図９】
2004357072.tif 000011